(57)【要約】【課題】投影スクリーンにプロジェクション装置を用いて映像を投影したとき、プロジェクション装置が観察者の視界に入るのを防ぎ、観察者に高い没入感を与えることができるプロジェクションシステムを提供すること。【解決手段】投影スクリーン２は略球形に形成され、観察者６を導く通路３は、投影スクリーン２内に該投影スクリーン２の略中心部に向かうように略直線状に設けられている。投影スクリーン２に映像を投影する複数のプロジェクション装置４は、観察者の目の高さより下方で観察者６の視界に入らない位置に配置される。これによって、観察者６に対しより高い没入感を提供できる。【選択図】  図１
2005257933.tif 000002
【特許請求の範囲】
【請求項１】
略球形の投影スクリーンと、
前記投影スクリーン内に当該投影スクリーンの略中心部に向かうように略直線状に設けられて、観察者を導く通路と、
観察者の目の高さより下方で観察者の視界に入らない位置に配置されて、前記投影スクリーンに映像を投影する複数のプロジェクション装置と、
を具備したことを特徴とするプロジェクションシステム。
【請求項２】
前記複数のプロジェクション装置は、前記通路より下方に配置されていることを特徴とする請求項１に記載のプロジェクションシステム。
【請求項３】
前記複数のプロジェクション装置のうちの少なくとも上方に投影するプロジェクション装置については、前記通路より外側の位置に配置にされていることを特徴とする請求項１又は２に記載のプロジェクションシステム。
【請求項４】
前記通路は、観察者を導く床板部と、その床板部の両側に設けられた手すり部とで構成され、前記手すり部は少なくとも不透明部材で形成され、前記複数のプロジェクション装置は、前記手すり部より外側に配置されていることを特徴とする請求項１又は２に記載のプロジェクションシステム。
【請求項５】
前記床板部は透明部材で形成されていることを特徴とする請求項４に記載のプロジェクションシステム。
【請求項６】
前記複数のプロジェクション装置を支持する支持体を、前記通路とは別体に設けたことを特徴とする請求項１乃至５のいずれか１つに記載のプロジェクションシステム。
【請求項７】
前記支持体及び前記通路はおのおの別々の位置に非振動部に設置されていることを特徴とする請求項６に記載のプロジェクションシステム。
【請求項８】
前記支持体は前記投影スクリーンに設置され、前記通路は非振動部に設置されていることを特徴とする請求項６に記載のプロジェクションシステム。
【請求項９】
前記支持体は非振動部に設置され、前記通路は前記投影スクリーンに設置されていることを特徴とする請求項６に記載のプロジェクションシステム。
【請求項１０】
前記投影スクリーンが非振動部として形成されていて、前記支持体及び前記通路は前記投影スクリーンの別位置に設置されていていることを特徴とする請求項６に記載のプロジェクションシステム。
【請求項１１】
前記投影スクリーンの下半球部分は非振動部の中に埋められていて、前記支持体及び前記通路はおのおの別々の位置に非振動部に設置されていることを特徴とする請求項６に記載のプロジェクションシステム。
【請求項１２】
前記支持体に、プロジェクション装置からの投影光を反射させ投影光を偏向させるミラーが支持されていることを特徴とする請求項１乃至１１のいずれか１つに記載のプロジェクションシステム。
【請求項１３】
前記支持体に、プロジェクション装置の投影範囲を制御する遮光板が支持されていることを特徴とする請求項１乃至１２のいずれか１つに記載のプロジェクションシステム。
【発明の詳細な説明】
【技術分野】
【０００１】
本発明は、プロジェクション装置とスクリーンとを有するプロジェクションシステムに係り、特に略球形のスクリーンを有するプロジェクションシステムに関するものである。
【背景技術】
【０００２】
従来より、観察者に没入感を与えるよう略完全球形スクリーンを利用した映像投影システムが提案されている。
【０００３】
例えば、シアタが略完全球形スクリーンを有し鑑賞者支持部を球形内の中央部に設け、その鑑賞者支持部の支柱に設置された複数のプロジェクタを用いた略完全球形スクリーンに画像を投影するものが知られている（例えば特許文献１参照）。そして、特許文献１には、鑑賞者は球形スクリーンに投影された映像を上下左右、３６０°鑑賞することができる、ことが記載されている。
【特許文献１】特開２００３−７５９１９号公報
【発明の開示】
【発明が解決しようとする課題】
【０００４】
しかしながら、特許文献１では、プロジェクタが球の中心部または観客席に対向して設置されるので、観察者の視界の中に映像を投影しているプロジェクタが入ってしまう。そのため、観察者がプロジェクタの存在を視認することによって、映像に対する没入感が妨げられるという問題がある。
【０００５】
本発明は、上記の問題に鑑み、全球，半球状のスクリーンに、高い没入感を与える映像を投影することができるプロジェクションシステムを提供することを目的とするものである。
【課題を解決するための手段】
【０００６】
本発明による第１のプロジェクションシステムは、略球形の投影スクリーンと、前記投影スクリーン内に当該投影スクリーンの略中心部に向かうように略直線状に設けられて、観察者を導く通路と、観察者の目の高さより下方で観察者の視界に入らない位置に配置されて、前記投影スクリーンに映像を投影する複数のプロジェクション装置と、を具備したものである。
【０００７】
この第１のプロジェクションシステムによれば、観察者は、球の中心付近から観察することができるので、映像に対する没入感が得られ易くなる。加えて、プロジェクション装置は、観察者の目の高さより下方で観察者の視界に入らない位置に配置されているので、観察者はより高い没入感を得ることができる。
【０００８】
本発明の第２のプロジェクションシステムは、第１のプロジェクションシステムにおいて、前記複数のプロジェクション装置は、前記通路より下方に配置されていることを特徴とする。
【０００９】
本発明の第３のプロジェクションシステムは、第１又は２のプロジェクションシステムにおいて、前記複数のプロジェクション装置のうちの少なくとも上方に投影するプロジェクション装置については、前記通路より外側の位置に配置にされていることを特徴とする。
【００１０】
本発明の第４のプロジェクションシステムは、第１又は２のプロジェクションシステムにおいて、前記通路は、観察者を導く床板部と、その床板部の両側に設けられた手すり部とで構成され、前記手すり部は少なくとも不透明部材で形成され、前記複数のプロジェクション装置は、前記手すり部より外側に配置されていることを特徴とする。
【００１１】
本発明の第５のプロジェクションシステムは、第４のプロジェクションシステムにおいて、前記床板部は透明部材で形成されていることを特徴とする。
【００１２】
本発明の第６のプロジェクションシステムは、第１乃至５のいずれか１つのプロジェクションシステムにおいて、前記複数のプロジェクション装置を支持する支持体を、前記通路とは別体に設けたことを特徴とする。
【００１３】
この第６のプロジェクションシステムによれば、プロジェクション装置の支持体と通路とが分離して構成されているので、たとえ観察者が移動して通路に振動が生じたとしても、プロジェクション装置の支持体に振動が伝わることはなく、振動のない高品位の映像を提供することができる。
【００１４】
本発明の第７のプロジェクションシステムは、第６のプロジェクションシステムにおいて、前記支持体及び前記通路はおのおの別々の位置に非振動部に設置されていることを特徴とする。 
上記の説明で、非振動部とは、通路の固有振動数に比べて十分に大きい固有振動数を有するもので例えば地面、建物の構造物、建物の基礎などを含む。
【００１５】
本発明の第８のプロジェクションシステムは、第６のプロジェクションシステムにおいて、前記支持体は前記投影スクリーンに設置され、前記通路は非振動部に設置されていることを特徴とする。
【００１６】
本発明の第９のプロジェクションシステムは、第６のプロジェクションシステムにおいて、前記支持体は非振動部に設置され、前記通路は前記投影スクリーンに設置されていることを特徴とする。
【００１７】
本発明の第１０のプロジェクションシステムは、第６のプロジェクションシステムにおいて、前記投影スクリーンが非振動部として形成されていて、前記支持体及び前記通路は前記投影スクリーンの別位置に設置されていていることを特徴とする。
【００１８】
本発明の第１１のプロジェクションシステムは、第６のプロジェクションシステムにおいて、前記投影スクリーンの下半球部分は非振動部の中に埋められていて、前記支持体及び前記通路はおのおの別々の位置に非振動部に設置されていることを特徴とする。
【００１９】
本発明の第１２のプロジェクションシステムは、第１乃至１１のいずれか１つのプロジェクションシステムにおいて、前記支持体に、プロジェクション装置からの投影光を反射させ投影光を偏向させるミラーが支持されていることを特徴とする。
【００２０】
この第１２のプロジェクションシステムによれば、プロジェクション装置の支持体に、プロジェクション装置からの投影光を反射させ投影光を偏向させるミラーを支持することにより、プロジェクション装置の向きを変えることなく投影方向を変えられるので、プロジェクション装置のレイアウトの自由度が大きくなる。
【００２１】
本発明の第１３のプロジェクションシステムは、第１乃至１２のいずれか１つのプロジェクションシステムにおいて、前記支持体に、プロジェクション装置の投影範囲を制御する遮光板が支持されていることを特徴とする。
【００２２】
この第１３のプロジェクションシステムによれば、プロジェクション装置の支持体に、プロジェクション装置の投影範囲を制御する遮光板を支持することにより、適切な遮光状態を維持することができる。
【発明の効果】
【００２３】
本発明によれば、投影スクリーンにプロジェクション装置を用いて映像を投影したとき、プロジェクション装置が観察者の視界に入るのを防ぎ、観察者に高い没入感を与えることができる。
【発明を実施するための最良の形態】
【００２４】
発明の実施の形態について図面を参照して説明する。 
本発明は、略球形の投影スクリーンに複数のプロジェクション装置を用いて映像を投影し、これを観察者が鑑賞する際に、高い没入感が得られようにするため、観察者は球形の中心付近から観察できるように観察者用の通路を配置し、且つプロジェクション装置については観察者の視界から隠すようにプロジェクション装置の配設位置を工夫したものである。
【実施例１】
【００２５】
図１乃至図３は本発明の実施例１のプロジェクションシステムの構成を示す図であって、図１は球形スクリーンを縦方向に分断した状態の斜視図、図２は図１における観察者用の通路とプロジェクション装置支持体の部分を拡大して示す拡大図、図３は図１における観察者の視線を示す図である。
【００２６】
まず、図１を用いて全体の構成を説明する。球構造体１の内面は球形のスクリーン２となっており、複数のプロジェクション装置４からの投影像が球形のスクリーン２に映し出される。 
図１では、球構造体１の内部が分かり易いように、球の半分を切り取った図となっているが、実際には球構造体１は完全な球体となっている。
【００２７】
球形スクリーン２の内部には、観察者６を球中心部へと導く観察者用の通路３が橋状に配置されている。通路３は、観察者６を導く床板部３Ａと、この床板部３Ａの両側に立設されて観察者６が落下しないようにするための手すり部３Ｂとで構成されている。
【００２８】
球形スクリーン２の内部には、複数のプロジェクション装置４を支持するための支持体５が、観察者６の目の高さより下方で観察者６が無理に身を乗り出したりしなければ視界に入らない位置、例えば前記通路３の下方（観察者６の足元）に配置され、各プロジェクション装置４は支持体５にメカジョイント部を介して固定される。図面上では煩雑になるのでメカジョイント部は省略してある。
【００２９】
通路３の下方に配置された支持体５に沿って複数のプロジェクション装置４が配置されていて、複数のプロジェクション装置４はそれぞれ、球形スクリーン２の異なった部位に映像を投影するように構成されている。したがって、図２に示すように複数のプロジェクション装置４のそれぞれは互いに異なった方向を向いている。
【００３０】
図１及び図２で符号８はプロジェクション装置４から投射される投影光を示している。
【００３１】
次に、図２及び図４を参照して、映像の投影方法を説明する。 
図４は球形スクリーン２におけるそれぞれのプロジェクション装置の投影方法を示す図である。例えば、複数のプロジェクション装置４のそれぞれのプロジェクション装置を４Ａ，４Ｂ，４Ｃ，…とした場合、プロジェクション装置４Ａの投影領域を領域１、プロジェクション装置４Ｂの投影領域を領域２、プロジェクション装置４Ｃの投影領域を領域３として示している。
【００３２】
図４に示すように、それぞれのプロジェクション装置４Ａ，４Ｂ，４Ｃ，…の投影領域は重なり合うように投影されている。このままでは、投影領域の重なり部分でプロジェクション装置間の画像のずれが生じたり、重なり合うことでその部分の輝度が上がり境目のある映像となってしまう。画像ずれを解決するためには、例えばプロジェクション装置の入力画像を幾何補正する回路を設けたり、プロジェクション装置の位置情報を画像レンダリングにフィードバックすることで解決できる。また、輝度についてはそれぞれのプロジェクション装置の重なり部の輝度を下げる等の技術を用いることで解決できる。これらの技術を用い、境目のないシームレスな画像を得ることができる。このようにそれぞれのプロジェクション装置の投影領域を重ねながら、プロジェクション装置を増やしていくことで、ほぼ全球をシームレスに投影することができる。また、幾何補正のみではなく、各々のプロジェクタの色の差を補正する回路（プロセッサ）を設けることにより、スクリーン全面にわたり色差のない画像を提供できる。
【００３３】
次に、図３を参照して、通路上で鑑賞している観察者の視線について説明する。 
図３は観察者の視線を示した図であり、観察者６は手すり部３Ｂ越しに球形スクリーン２を観察することになるので、視線９を下に落とした場合でも、手すり部３Ｂに遮られプロジェクション装置４を視認することはできない構成となっている。従って、手すり部３Ｂは不透明部材で構成されることが好ましく、観察者６の身長に対して適宜の高さ（例えば１５０ｃｍ位）に設けられることが好ましい。上述のように通路３は橋状になっているので、通路３の一端を入り口に、もう一端を出口に設定し、観察者６を一方向に移動させながら観察を行うようなシステムとすることもできる。通路３の入り口，出口については後述する図１２乃至図１６の符号１３にて示されている。
【００３４】
この実施例１によれば、球状スクリーン２のほぼ全体をシームレスに映像を投影することができ、かつプロジェクタが視界に入ることがないので、高い没入感を得ることができる。さらに、通路３とプロジェクション装置４を支持する支持体５が別構造となっているので、観察者６が移動した場合に生じる通路３の振動がプロジェクション装置４に伝わり難く、したがって、振動のない高品位の映像を提供することができる。
【００３５】
図５は球構造体１内における通路３の形状の変形例を示している。図５は球構造体１の横断面図を示している。図１における通路３は球構造体１を直径方向に貫く直線状の形状となっているが、図５における通路３は球構造体１を直径方向に貫く際に球形内で波状に若干蛇行した形状となっている。通路３は、投影スクリーン内に該投影スクリーンを形成する略球形の略中心部に向かうように略直線状に形成されていればよく、図１や図５の形状のほかにも色々な形状のものが可能である。
【００３６】
次に、プロジェクションシステムを構成する球構造体１の構造について説明する。 
球構造体１は、言わばシアタの外観を構成するもので、基本ユニットとなる三角形を５つずつ組み合わせた正五角形を用い、その正五角形をさらに組み合わせて球形を作っていく、フラードームと呼ばれる球体建築方法を用いて作られる。この建築方法では、基本ユニットを三角形とすることにより、強度と柔軟性を併せ持つ球体を作り上げることができる。スクリーンの構成は、ここに記載したものに限るものではなく、鉄骨にスクリーンを張り空気圧で球形になるようにするものでもよい。
【００３７】
次に、球形スクリーン２の内部構造について詳細に説明する。 
球構造体１の内面を球面のスクリーンにする方法としては、代表的なものとして、２つの方法がある。１つの方法は球構造体１の内壁を塗装して球形にする方法で、塗装には反射を抑えるための物質、例えば発泡剤等を混ぜて塗布すればよい。この方法で球面のスクリーンを形成すると、つなぎ目のない一体感のあるスクリーンで映像を楽しむことができる。
【００３８】
もう１つの方法は、球構造体１の内部に有孔スクリーンを張る方法で、球構造体１の内壁には、スクリーンを張るために必要な構造、例えばスクリーンを引っ張るための引っ張り部材等を設ければよい。この方法で球面のスクリーン２を形成すると、スクリーンと球構造体１の内壁との間にできた空間にスピーカを設置することが可能なため、より臨場感のある映像体験を味わうことができる。
【００３９】
球形スクリーン２は、シアタの底部まで球状に形成され、観察者６は球面スクリーン全体の映像を楽しむことができるように構成されている。
【００４０】
なお、手すり部３Ｂは、透明部材や金網やパイプの組み合せとすることができる。その場合は、床板部の幅を広くして、手すり部３Ｂの外側にも床板部３Ａがあるようにすればよい。これにより、観察者の視界にプロジェクタが入らないようにすることができる。
【実施例２】
【００４１】
図６及び図７は本発明の実施例２のプロジェクションシステムの構成を示す図であって、図６は及び図７は２本のプロジェクション装置支持体５を通路３の両側の左下、右下に配置した構成を示している。
【００４２】
複数のプロジェクション装置４は左右それぞれの支持体５にメカジョイント部を介して取り付けられる。複数のプロジェクション装置４のうちの上方に投影するプロジェクション装置については、通路３の外側の位置、即ち手すり部３Ｂの外側の位置で且つ観察者４の視線９（図７参照）に入らない位置に配置される。これは、上方に投影するプロジェクション装置が通路３の真下の位置や通路の下方内側の位置にあると、投影光が必然的に通路３に遮られることになるためである。
【００４３】
以上の構成に加えて、通路３を構成する床板部３Ａの一部または全部は透明な構造体（例えばアクリル）で構成されることが好ましく、このように構成すると観察者６は透明な床板部３Ａを通して球形スクリーン２の下方の投影映像を観察することができる。手すり部３Ｂは少なくとも不透明部材で形成されることが好ましい。これによって、観察者６は手すり部３Ｂ越しに投影映像を見たとき、プロジェクション装置４を視認することがない。
【００４４】
このような構成によれば、観察者６はプロジェクション装置４が視界に入らず、かつ透明な床板部３Ｂを通して、通路下方の映像も見ることができるので、より没入感の高い投影空間を実現することができる。
【実施例３】
【００４５】
図８乃至図１１は本発明の実施例３のプロジェクションシステムの構成を示す図であって、図８乃至図１０は、実施例２の構成に加えて、さらにプロジェクション装置４の前に反射ミラー１０を配置した構成としたものである。
【００４６】
全体構成は実施例２と同様、２本のプロジェクション装置支持体５を通路３の両側の左下、右下に配置している。
【００４７】
本実施例３では、さらにプロジェクション装置４の前に投影光８（図１０参照）を偏向させる反射ミラー１０を配置している。反射ミラー１０は全てのプロジェクション装置の前に配置されているわけではなく、必要に応じて配置されるものである。実施例１，実施例２では球状スクリーン２の全体を投影するために、プロジェクション装置４はさまざまな方向を向いていたが、本実施例３においては、プロジェクション装置４の投影方向を固定しておいて、必要に応じ、反射ミラー１０により投影光８の方向を偏向すればよい。
【００４８】
本実施例３においても、プロジェクション装置４は支持体５にメカジョイント部を介して固定されており、さらに、反射ミラー１０もメカジョイント部を介して支持体５に固定されている。反射ミラー１０は観察者６の手すり部３Ｂ越しの視線９（図９参照）には入らない位置に配設されている。また、通路３を構成する床板部３Ａは、実施例２と同様、一部または全部が透明な構造物で形成されることが好ましい。
【００４９】
このような構成によれば、実施例１，２の効果に加え、プロジェクション装置４の方向を変えることなく反射ミラー１０の角度で投影方向を変えることができるので、プロジェクション装置４のレイアウトの自由度が大きくなる。
【００５０】
上記の実施例では、プロジェクション装置４からの投影光をそのまま球形スクリーン２に投影したが、図１１に示すように遮光板１１によって、投影光の一部を遮光する構成とすることにより、それぞれのプロジェクション装置４の投影範囲の重なり部の輝度を補正する方法もある。
【００５１】
遮光板を入れない場合（実施例１，２の場合）、投影像の重なり部分ではほぼ輝度が２倍となるので、入力映像の信号レベルを下げることでその部分の輝度を下げる補正を行う。その場合、ほとんどの明るさの映像では問題ないが、真っ黒の映像で問題が生じる。プロジェクション装置は一般に真っ黒な映像を入力しても、漏れ光が生じ、実際にはある程度の輝度が生じる。先ほど重なり部で入力信号の輝度を下げることで、輝度を補正すると述べたが、真っ黒の場合入力信号をそれ以上輝度を下げることができないので、補正ができなくなる。したがって、重なり部で黒が若干白く浮いたような映像となる。この浮きを入力信号で補正するには、重なり部以外の部分の黒をわざと浮かして（即ち、若干輝度を持たせて）、重なり部の黒色に合わせるしかない。それに対して、投影像の重なり部分の中央で、輝度が約半分となるように遮光板を入れることにより重なり部の輝度は、重なりのない部分とほぼ同じになる。したがって、入力信号のレベルを大きく補正する必要はなくなり、真っ黒の映像が浮くことはなくなる。
【００５２】
このように、プロジェクション装置４の前に遮光板１１を配置して映像の重なり部分の輝度を制御することで、上記の効果（投影像の重なり部分の輝度が半減できる）に加え、黒浮きのない映像を提供することができる。
【００５３】
遮光板１１の位置変化は投影像に影響を与えるので、遮光板１１をプロジェクション装置４，反射ミラー１０と同様に支持体５に固定することが好ましい。
【００５４】
以上述べた実施例１乃至３では、各図に示されているように、複数のプロジェクション装置４を支持する支持体５を、通路３とは別体に設けた構成とし、通路３に観察者６によって振動が生じてもその振動が複数のプロジェクション装置４に伝わることのないように分離する構造となっている。実際に、どのように分離するかという構成パターンを、実施例４乃至８に示す。
【実施例４】
【００５５】
図１２は本発明の実施例４のプロジェクションシステムの構造を示す縦断面図である。 
図１２において、複数のプロジェクション装置４を支持する支持体５及び観察者用の通路３は、別々に非振動部１２に設置されている。非振動部１２とは、通路の固有振動数に比べて十分に大きい固有振動数を有し、相対的に振動しないとみなせるものであり、地面、建物の構造物、建物の基礎などを含む。
【００５６】
このようにプロジェクション装置４の支持体５を非振動部１２、例えば地面に支柱５１にて設置し、また観察者用通路３を非振動部１２、例えば地面の別の箇所に別の支柱３１にて設置することにより、観察者６による通路３の振動が複数のプロジェクション装置４に伝わることがない。
【実施例５】
【００５７】
図１３は本発明の実施例５のプロジェクションシステムの構造を示す縦断面図である。 
図１３において、複数のプロジェクション装置４を支持する支持体５は投影スクリーンを構成する球構造体１に設置し、観察者用の通路３は非振動部１２に設置されている。非振動部１２は、地面、建物の構造物、建物の基礎などである。
【００５８】
このようにプロジェクション装置４の支持体５を投影スクリーンを構成する球構造体１に設置し、また観察者用通路３を非振動部１２、例えば地面に支柱３１にて設置することにより、観察者６による通路３の振動が複数のプロジェクション装置４に伝わることがない。
【実施例６】
【００５９】
図１４は本発明の実施例６のプロジェクションシステムの構造を示す縦断面図である。 
図１４において、複数のプロジェクション装置４を支持する支持体５は非振動部１２に設置され、観察者用の通路３は投影スクリーンを構成する球構造体１に設置されている。非振動部１２は、地面、建物の構造物、建物の基礎などである。
【００６０】
このようにプロジェクション装置４の支持体５を非振動部１２、例えば地面に支柱５１にて設置し、また観察者用通路３を投影スクリーンを構成する球構造体１に設置することにより、観察者６による通路３の振動が複数のプロジェクション装置４に伝わることがない。
【実施例７】
【００６１】
図１５は本発明の実施例７のプロジェクションシステムの構造を示す縦断面図である。 
図１５において、投影スクリーンを構成する球構造体１が非振動部で形成されていて、プロジェクション装置４の支持体５及び観察者用通路３は互いにその投影スクリーンの別部分に設置されていている。
【００６２】
このようにプロジェクション装置４の支持体５及び観察者用通路３が互いにその投影スクリーンの別部分に設置されることにより、観察者６による通路３の振動が複数のプロジェクション装置４にまで伝わることがない。
【実施例８】
【００６３】
図１６は本発明の実施例８のプロジェクションシステムの構造を示す縦断面図である。 
図１６において、投影スクリーンを構成する球構造体１の半球部分は非振動部の中、例えば地中に埋められていて、プロジェクション装置４の支持体５及び観察者用通路３は別々に非振動部、例えば地面に設置されている。
【００６４】
このように構成すれば、投影スクリーンは非振動部である地面、または、建物の中に埋められていて、支持体５及び通路３は別々に非振動部に設置されることにより、上記の実施例４乃至７のいずれよりも互いに最も振動を伝えにくい状態が得られるものである。
【００６５】
以上述べた本発明の実施例によれば、プロジェクション装置が観察者の視界に入るのを防ぐことができ、高い没人感が得られ、さらに振動のない高品位の画像空間を提供することができる。
【００６６】
なお、通路は略球状のスクリーンの中心部を突き抜けるものだけではなく、例えば中心部までで折り返すものであってもよい。観察者は手すり部に沿って進めばよく、往路，復路で両側の画像を観察することができる。
【産業上の利用可能性】
【００６７】
本発明に係るプロジェクションシステムは、撮影画像やコンピュータグラフィック画像を投影するスクリーン投影装置であって、宇宙空間、住居空間、都市景観等の投影や、フライトシュミレータ、ゲーム装置、プラネタリウム等の投影に広く利用することが可能である。
【図面の簡単な説明】
【００６８】
【図１】本発明の実施例１のプロジェクションシステムの構成であって、球形スクリーンを縦方向に分断した状態の斜視図。
【図２】図１における観察者用の通路とプロジェクション装置支持体の部分を拡大して示す拡大図。
【図３】図１における観察者の視線を示す図。
【図４】球形スクリーンにおけるそれぞれのプロジェクション装置の投影方法を示す図。
【図５】球構造体内における通路の形状の変形例を示す横断面図。
【図６】本発明の実施例２のプロジェクションシステムの構成であって、２本のプロジェクション装置支持体を通路の両側の左下、右下に配置した構成を示す斜視図。
【図７】本発明の実施例２のプロジェクションシステムの構成であって、２本のプロジェクション装置支持体を通路の両側の左下、右下に配置した構成を、通路方向に対して垂直な方向に沿って示す縦断面図。
【図８】本発明の実施例３のプロジェクションシステムの構成であって、実施例２の構成に加えて、さらにプロジェクション装置の前に反射ミラーを配置した構成を示す斜視図。
【図９】本発明の実施例３のプロジェクションシステムの構成であって、実施例２の構成に加えて、さらにプロジェクション装置の前に反射ミラーを配置した構成を示す斜視図。
【図１０】本発明の実施例３のプロジェクションシステムの構成であって、実施例２の構成に加えて、さらにプロジェクション装置の前に反射ミラーを配置した構成を示す斜視図。
【図１１】本発明の実施例３のプロジェクションシステムの構成であって、実施例２の構成に加えて、さらにプロジェクション装置の前に反射ミラー及び遮光板を配置した構成の要部を部分的に拡大して示す斜視図。
【図１２】本発明の実施例４のプロジェクションシステムの構造を示す縦断面図。
【図１３】本発明の実施例５のプロジェクションシステムの構造を示す縦断面図。
【図１４】本発明の実施例６のプロジェクションシステムの構造を示す縦断面図。
【図１５】本発明の実施例７のプロジェクションシステムの構造を示す縦断面図。
【図１６】本発明の実施例８のプロジェクションシステムの構造を示す縦断面図。
【符号の説明】
【００６９】
１…球構造体
２…球形スクリーン（投影スクリーン）
３…通路
３Ａ…床板部
３Ｂ…手すり部
４…プロジェクション装置
５…プロジェクション装置支持体
６…観察者
１０…反射ミラー
１１…遮光板
１２…非振動部
代理人    弁理士      伊    藤      進 
【図１】
2005257933.tif 000003
【図２】
2005257933.tif 000004
【図３】
2005257933.tif 000005
【図４】
2005257933.tif 000006
【図５】
2005257933.tif 000007
【図６】
2005257933.tif 000008
【図７】
2005257933.tif 000009
【図８】
2005257933.tif 000010
【図９】
2005257933.tif 000011
【図１０】
2005257933.tif 000012
【図１１】
2005257933.tif 000013
【図１２】
2005257933.tif 000014
【図１３】
2005257933.tif 000015
【図１４】
2005257933.tif 000016
【図１５】
2005257933.tif 000017
【図１６】
2005257933.tif 000018